(57)【特許請求の範囲】
【請求項１】
家屋の改修工事として行う、柱、土台等の取り替え、補修等の工事を第２工程で行う手順とし、傾いたり、沈下した基礎石の玉石や長石は、現状のままで当該基礎石を残した状態で、所定の新規コンクリート構造の基礎を構築する作業を、第１工程で行うことを最大の特徴とし、第３工程では、ライナーによる隙間処理を行い、さらに根巻コンクリート基礎を構築する、これら３工程からなる家屋改修新基礎工法。
【請求項２】
上記第１工程では、外周部以外に位置する基礎石の玉石の周囲を掘削し、当基礎石の玉石を包み込むように、所定の新規コンクリート構造の基礎を構築し、一方外周部に配置する基礎石の長石の周囲を掘削し、当基礎石の長石を下方より支持するように、所定の新規コンクリート構造の基礎を構築し、それぞれの柱の下部の漆喰等を混ぜて突き固められた支持地盤は掘削作業を最小限にとどめて残し、新規コンクリート構造の基礎と一体化する構造を特徴とし、在来家屋の当該基礎の強度を、的確に向上する目的で行われる請求項１に記載の家屋改修新基礎工法。
【請求項３】
前記第２工程で生じた基礎石の玉石、と柱との隙間にライナーを挿入し、さらに根巻コンクリート基礎を構築する。一方外周部に配置する基礎石の長石と新規コンクリート構造の基礎との隙間にもライナーを挿入し、さらに根巻コンクリート基礎を構築してなる請求項１又は２に記載の家屋改修新基礎工法。
【発明の詳細な説明】
【技術分野】
【０００１】
本発明は、家屋の改修工事に関するものであり、在来家屋の柱や土台、水平度等の修復作業、又は基礎部分の改修、補強等工事の時に、作業の安全性、確実性、工期短縮、もって経済的効果を高める工法に関する。
【背景技術】
【０００２】
日本建築の家屋の弱点とも言える、柱脚部分の狂いは、腐食による場合や、玉石や長石等が沈下している場合が多く見られる。
このような場合その改修方法は種々あるが、一例をあげると、柱の腐食や、基礎石の狂い等で、その被害が大きい場合は家屋全体を、又は大部分を、改修する必要が生じ、根本的に基礎の全部又は、大部分を見直すことが必要となる。
【０００３】
従来このような工事を行う時には、先ず建物をかなり高く（約1.5ｍ）持ち上げた状態で、工事を行う工法が一般的であり、その場合の期間は長期にわたり、当家屋の住人は、そこでは生活できない場合が多い、又家屋を高く持ち上げた状態の下での作業は、安全上も問題があった、必然的に経済的損失も大である。
【０００４】
在来の家屋の基礎の構造は、実施前の図1に示すような玉石(基礎石)（2）があり、その上に柱（1）を支持しており、下部はシックイ等を混ぜて突き固められた地盤（4）を持つ場合が多く、家屋の外周以外に用いられている。在来の家屋の外周の基礎は、実施前の図4で示す長石（基礎石）（8）を基礎としている場合が多く、土台（9）を持ち、ほぞ差しの柱（1）を支持している、下部にはシックイ等を混ぜて突き固められた地盤（4）を持つが、（これが根石の場合もある）当該基礎それぞれ（以後基礎類と呼称）共通していることは、家屋等の重量に耐え切れず、沈下していることであり、したがって家屋に水平、垂直両面で狂いが生じている、第一の原因は基礎の構造に有り、根本的には基礎構造の見直しをし、当地盤に合った基礎計画を実施することが必要である。
其の為には、基礎の巾、長さ等計画通りにしなければならない。従来の工法で家屋を高く持ち上げ、その下で基礎工事等の施工を行う際、十分な基礎巾や長さを期待することは、工法上無理といえる。近年開発された該工法があり、下記特許文献によると、基礎杭を用い大掛かりな架台を利用する建物の持ち上げ方法を取り、新期基礎を構築し耐震化する工法は、理想的な工法といえるが、経費面、工期の点で問題がある。
【０００５】
大規模な家屋の改修工事では、期間が長くかかるのは仕方のない事ではあるが、期間中の自然災害も考慮に入れれば、出来るだけ安全な方法で、短期間に目的を達成する事が重要である。    
【特許文献１】特許第3921549号
【発明の開示】
【発明が解決しようとする課題】
【０００６】
在来家屋の改修工事に於ける安全性の確保、作業性の向上、又在来基礎類の構造の見直しと、所定の強度の確立、さらに工事期間の短縮を図り、結果として経済的相乗効果を生じること。
【課題を解決するための手段】
【０００７】
本発明は目的の家屋を高く持ち上げることなく、現状の家屋、現状の基礎のまま、つまり傾いた家屋、沈下した基礎の状況のままで、所定の強度に向上する、新規コンクリート構造の基礎工事を、先ず第1工程として実施する、その手順を下記に示す。
実施前の図1は、在来の基礎、玉石（基礎石）（2）の廻りの状況を示し、本発明の実施前の立面図であり、外周基礎以外に設けられている場合が多い。又外周部に多く実施されている長石（基礎石）（8）の廻りの現状を実施前の図4で示す。本発明の実施中の図2で示す様に、玉石（基礎石）（2）を、新期コンクリート基礎(5)で包み込むように実施し、一方、長石（基礎石）（8）の場合は、実施中の図6で示す様に新期コンクリート基礎(5)を長石（基礎石）（8）の下部に実施し、第2工程での本工事時のジャッキアップ作業に備える手法をとり、在来基礎類と一体化した、新期コンクリート構造の基礎を構築して、第1工程を完了する。家屋改修工事の主目的である柱、土台等の取替えや修理工事、又本体の傾き等の修復や、水平度の復元工事を、次の第2工程で行う、前記工程では在来基礎廻りの補強を完了し、所定の構造のコンクリート基礎を構築した結果、以前より良好な足場が出来たことになり、作業性が良く、ジャッキ作業を効率よく行うことが出来る、つまり柱や、長石（基礎石）の下部に丈夫なコンクリート構造体が存在することになり、例えば、せりや式ジャッキを使い簡単に持ち上げが出来、隙間に爪つきジャッキを差込み任意の高さへ上げることが可能である。本発明の第2工程完了後出来た、隙間の処理を次の第3工程で行う、本発明の実施状況を図3で示す、柱（1）と玉石（基礎石）（2）との隙間（ｈ）にライナー（6）を挿入し、一方実施中の図6で示す長石（基礎石）（8）と新期コンクリート基礎（5）に出来た隙間（ｈ）にもライナー（6）を挿入する。ライナー（6）の入る隙間（ｈ）はそれぞれ異なる為、現場合わせとなる。次に主目的の家屋の改修工事が全て完了し、隙間（ｈ）のライナー（6）挿入が全部完了すれば、ライナー（6）挿入部に、図3、及び図6で示す、根巻きコンクリート（7）を構築して完了する工法であり、これら3工程が主な手法である。
【発明の効果】
【０００８】
第1工程で柱(1)、土台(9)の周囲の地盤が、新期コンクリート基礎（5）で適正に構築され、在来基礎類と一体化した基礎構造となり、基礎強度の向上が計られ、又広範囲に構築された新期コンクリート構造の基礎は足場となり、次に行う第2工程の作業性が極めて良くなり、安全性が高く、効率よく、工期も短縮できる。又大掛かりな持ち上げ作業が省略でき経済的効果が大である。
【発明を実施するための最良の形態】
【０００９】
本発明の効果をより高めるために、第1工程で現地盤調査を行い、その資料を元に当該家屋の基礎の構造設計を行い、構造図面にもとずいたコンクリート基礎を構築する。当基礎は出来るだけ連続していることが構造面、又作業上からも望ましい。実施中の図2、で示すように在来の玉石（基礎石）（2）を包み込むように、新期コンクリート基礎（5）が出来上がれば、次に第2工程にかかり、図3、図6で示す柱（1）や土台（9）をジャッキ等で持ち上げることが容易に出来るようになり、家屋の水平度の修復などが、確実に、又安全に作業出来る様になる。第3工程では、ジャッキアップの作業の結果生じた隙間に、図3及び図6で示す、ライナー(6)を挿入する、最後に根巻きコンクリート基礎（7）を構築して成る。
【実施例１】
【００１０】
本発明の実施例1及び実施例2の説明を、以下図を参考に行う。
本発明の実施前の図１は、玉石（基礎石）（2）廻りの現況を現す立面図である、漆喰を混ぜ合わせて突き固められた地盤（4）は、玉石(基礎石)（2）を支える支持地盤で基礎の1部であり、柱（1）の軸力を支持し、周囲の現地盤面（3）が存在する。突き固められた地盤（4）と、玉石（基礎石）（2）の支持力の強弱が即ち、家屋の強度を左右し、弱い場合には沈下や、傾きが起きており、従来の家屋の床や柱などの狂いの原因となっている。又柱（1）や、土台（9）の腐食等が原因で家屋自体に狂いが生じている場合もある。このような原因が家屋全体に及んでいる場合は、大規模な改修工事となり、部分的な小規模な場合もあるが、本発明はこれらいずれの場合でも、同じ段取り（手順）で行い得る。
【００１１】
本発明の第1工程で行う、新期基礎の実施中の状況を図2で示す。在来の、玉石（基礎石）（2）の周囲を掘削し、玉石（基礎石）（2）に密着する新期コンクリート基礎（5）を構築する、密着を助ける為に、玉石（基礎石）（2）に直接、刺し筋アンカー（14）を穿孔し取り付けることも効果的である。新期コンクリート基礎（5）は、所定の鉄筋コンクリート構造とし、鉄筋（タテ、ヨコ）（10）の配筋を適正に行う、玉石（基礎石）（2）の周囲は、それぞれ、補強鉄筋（11）を効果的に配置する。突き固められた地盤（4）に対しても最小限掘削をし、新期基礎と一体化した構造とする。突き固められた地盤（4）は、最大限残すことが本発明の特徴である。さらに、捨てコン（12）、砕石（13）の施工は適正に行う。
【００１２】
本発明は、第2工程で主目的の家屋の改修工事を新期基礎が完了した後に行う為、足場の良い状態で作業が出来る利点があり、新期のコンクリート構造の基礎を反力にし、柱の修理や取替え工事、家屋を水平に戻す工事等を行う際、にジャッキアップの作業が効率よく極めて確実に行いうる特徴がある。該工事の作業終了後次の第3工程では、隙間処理を行う、この説明を図3で示す、家屋の水平度の修復工事等で行う、ジャッキアップの作業の結果発生した、玉石（基礎石）（2）と、柱（1）の隙間(h)に、ライナー(6)を挿入し、隙間とライナーを密着し、固定する為次に、根巻きコンクリート基礎（7）を構築する。本発明では、ライナー(6)は、高強度コンクリートで、棒状の物に事前に作製しておき、現場で隙間の状況に合わせて（高さ=h),カットする方法を採用する。
ジャッキアップの作業は、爪付ジャッキや、せりや式ジャッキで対応する。図３は本発明の、工法の完成を示す断面図であり、図7は家屋改修工事完成後の新期基礎の斜視図である。
【実施例２】
【００１３】
在来家屋の外周部は、長石（基礎石）（8）を用いた基礎が普通であり、図4は実施前の現況を示す断面図である。図中、（4）は漆喰等を混ぜて突き固められている地盤で、長石（基礎石）（8）を支えている。なかには、突き固められた地盤（4）に変えて、根石を並べた場合もある。さらに、土台（9）の上に、柱（1）が設置された状態を示し、本発明の実施例2を、図6で示す。実施例1と同じく、長石（基礎石)（8）の周囲を掘削し新期基礎を構築する。長石(基礎石)（8）の下部地盤は、要所に、突き固められた地盤（4）となっている、つまり柱（1）の下部廻りには、必ず存在する為、その他の部分については、楽に掘削出来る、しかし柱（1）廻りは、突き固められた地盤（4）を掘削することになり、作業に慎重を期す必要がある。しかし柱（1）の真下まで掘削する必要はない、あくまで安全を重視し、掘削出来ないところは、新規基礎完了後に改めて行うことが可能である。図5は、長石（基礎石）（8）の柱（1）廻りの、新期基礎を示す平面図であり、ライナー(6)の位置を示し、又補強鉄筋(11)の状況が分かる。ライナー(6)の下には必ず、新期コンクリート基礎（5）が存在する事が基本である。このように外周部の、長石（基礎石）（8）は連続している場合が普通であり、当然新期コンクリート基礎（5）及び、根巻きコンクリート基礎（7）も連続したものとなる。なお、（3）は現地盤面を示す。又本発明の工法完成の状況を図7で示す。
【００１４】
本発明のそれぞれの実施例に共通している点は、突き固められた地盤（4）を最大限残し、新規コンクリート基礎（5）の完成まで、家屋の改修の主目的であるジャッキアップ等の作業を開始しないことであり、本発明の特徴である。
先に述べた長石（基礎石）（8）の下部地盤は根石が並列に並べられている場合もあり、その場合は柱（1）の下部廻りの根石1個か2個残し、他は撤去する。残した根石は新期コンクリート基礎（5）で包み込むように構築される、図4で示す突き固められた地盤（4）が根石に置き換えられたとして説明できる、又実施断面図、図6で示す新期コンクリート基礎（5）の構築状況と同様に密着した施工となり、以降の工程も本発明の範疇に関する。
実施例2で大事なことは、ライナー(6)は、必ず、長石（基礎石）（8）の下部に設置することである。そうすることによって、長石（基礎石）（8）と土台（9）を分離しないことが出来、本来持つ長石の美観を損なわずに修復を完成出来る。
【産業上の利用可能性】
【００１５】
在来家屋の改修工事の規模の大小にかかわらずに利用可能で、日本建築の良さを残しながら、足元の弱点を補強し、家屋の寿命を長く維持する為の改修工事に於ける工法を提供する。特に耐震性の向上に貢献できる。
【図面の簡単な説明】
【００１６】
【図１】実施前の玉石（基礎石）廻りの現状を示す立面図である。
【図２】実施中の図1の断面図である。
【図３】本発明の完成を示す図1、図2の断面図である。
【図４】実施前の長石（基礎石）廻りの現状を示す断面図である。
【図５】本発明の完成を示す図4、図6の平面図である。
【図６】本発明の完成を示す図4、図5の断面図である。
【図７】本発明の完成を示す斜視図である。
【符号の説明】
【００１７】
1  柱
2  玉石(基礎石)
3  地盤面
4  突き固められた地盤
5  新期コンクリート基礎
6  ライナー
7  根巻きコンクリート基礎
8  長石(基礎石)
9  土台
10  鉄筋（タテ、ヨコ）
11  補強鉄筋
12  捨てコン
13  砕石
14  刺し筋アンカー
ｈ  隙間(寸法)
【図１】
0005194591.tif 000002
【図２】
0005194591.tif 000003
【図３】
0005194591.tif 000004
【図４】
0005194591.tif 000005
【図５】
0005194591.tif 000006
【図６】
0005194591.tif 000007
【図７】
0005194591.tif 000008